(57)【要約】【課題】給気口のフィルタの捕集力をより高めることを目的とする。【解決手段】一実施形態に係る給気口は、建物の外部から室内に空気を供給する給気口であって、空気の流路を形成する本体と、フィルタを本体内で固定するための軸部とを備え、フィルタが、貫通口が形成されたコアと、複数の突起を有するシートが該コアに巻かれることで形成されたフィルタ層とを有し、フィルタ層の外周部に固定手段を設けることなく、コアを軸部に嵌めることで、フィルタが本体内で固定される。【選択図】図８
2016070610.tif 000002
【特許請求の範囲】
【請求項１】
建物の外部から室内に空気を供給する給気口であって、
前記空気の流路を形成する本体と、
フィルタを前記本体内で固定するための軸部と
を備え、
前記フィルタが、貫通口が形成されたコアと、複数の突起を有するシートが該コアに巻かれることで形成されたフィルタ層とを有し、
前記フィルタ層の外周部に固定手段を設けることなく、前記コアを前記軸部に嵌めることで、前記フィルタが前記本体内で固定される、
給気口。
【請求項２】
前記フィルタの外周面が前記本体の内壁に接する、
請求項１に記載の給気口。
【請求項３】
前記フィルタの外周面と前記本体の内壁との間に空間が形成された、
請求項１に記載の給気口。
【請求項４】
前記軸部の延長線上に、かつ前記フィルタよりも前記建物の外側に設けられるキャップをさらに備え、
前記キャップが、前記建物の外側に向けて窄むテーパ状を呈する、
請求項１〜３のいずれか一項に記載の給気口。
【請求項５】
前記軸部上に、前記フィルタのずれを防止するための突起部が設けられた、
請求項１〜４のいずれか一項に記載の給気口。
【発明の詳細な説明】
【技術分野】
【０００１】
本発明の一側面は、建物の外部から室内に空気を供給する給気口に関する。
【背景技術】
【０００２】
従来から、建物の外部から室内に空気を供給する給気口が知られている。一般には、この給気口は、空気中の塵を捕集するためのフィルタを備える。例えば特許文献１は、取付本体の前面開口部に装着して該前面開口部を覆い粉塵等の進入を防止するフィルタを備えるプッシュ式レジスタを記載する。このプッシュ式レジスタでは、取付アームの両側片間にフィルタ収納部が形成され、該フィルタ収納部にフィルタが上下方向に取外し自在に装着される。
【先行技術文献】
【特許文献】
【０００３】
【特許文献１】実用新案登録第３１５８０２６号公報
【発明の概要】
【発明が解決しようとする課題】
【０００４】
特許文献１に記載の技術では、フィルタは、フィルタ収納部に設けられた４個のフックとフィルタ着脱口の近傍に設けた弾性係止手段とにより、フィルタ収納部に取り付けられる。また、このような取り付けを可能にするために、フィルタの外周部には枠が設けられている。この構成ではフィルタの外周部が捕集機能を持たないので、流入してくる空気を受けるフィルタ主面の領域が制限され、その分だけフィルタ全体における捕集力が低下してしまう。そこで、給気口のフィルタの捕集力をより高めることが望まれている。
【課題を解決するための手段】
【０００５】
本発明の一側面に係る給気口は、建物の外部から室内に空気を供給する給気口であって、空気の流路を形成する本体と、フィルタを本体内で固定するための軸部とを備え、フィルタが、貫通口が形成されたコアと、複数の突起を有するシートが該コアに巻かれることで形成されたフィルタ層とを有し、フィルタ層の外周部に固定手段を設けることなく、コアを軸部に嵌めることで、フィルタが本体内で固定される。
【０００６】
このような側面においては、フィルタのコアを軸部に嵌めることでフィルタが本体内で固定され、この際に、フィルタの外周部には固定手段が設けられない。このように、フィルタの形成のために必要なコアを給気口の本体への固定手段としても用いることで、フィルタの外周部に対する制約がなくなり、流入してくる空気を実際に受けるフィルタ主面の面積を稼ぐことができる。その結果、給気口のフィルタの捕集力をより高めることが可能になる。
【発明の効果】
【０００７】
本発明の一側面によれば、給気口のフィルタの捕集力をより高めることができる。
【図面の簡単な説明】
【０００８】
【図１】フィルタに用いられるシート（層）の斜視図である。
【図２】（ａ），（ｂ）は共に、シート上の突起の側面図である。
【図３】仮想面への突起の投影を説明するための図である。
【図４】突起の投影像のいくつかの例を示す図である。
【図５】フィルタの斜視図および部分拡大図である。
【図６】実施形態に係る給気口の斜視図である。
【図７】図６のＶＩＩ−ＶＩＩ線断面図である。
【図８】実施形態に係る給気口の分解斜視図である。
【図９】図８のＩＸ−ＩＸ線断面図である。
【図１０】図９のＸ−Ｘ線断面図である。
【図１１】図７のＸＩ−ＸＩ線断面図である。
【図１２】（ａ），（ｂ）は共に、フィルタによる集塵を模式的に示す図である。
【図１３】変形例に係る本体の斜視図である。
【発明を実施するための形態】
【０００９】
以下、添付図面を参照しながら本発明の実施形態を詳細に説明する。なお、図面の説明において同一又は同等の要素には同一の符号を付し、重複する説明を省略する。
【００１０】
まず、図１〜５を用いて、実施形態に係る給気口に取り付けられるフィルタの構造を説明する。本明細書における用語「フィルタ」は、気体中に混ざり込んだ微粒子（微小な固形物または異物）を取り除くための装置または部品である。本実施形態では、気体は空気であるとする。微粒子の例としては塵、埃、花粉が挙げられるが、フィルタにより除去しようとする対象物はこれらに限定されず、フィルタは気体中の任意の微粒子を取り除いてよい。
【００１１】
フィルタは複数の層を備える。複数の層の少なくとも一部は、図１に示すシート１０により形成される。シート１０は薄い板状の部材であり、ベース１１と、該ベース１１上に配置された複数の中実の突起２０とを備える。本明細書における用語「突起」は、ベース１１の一方の面から外方に向かって延びた構造物である。また、本明細書では、突起２０が存在する方の面を層、シート１０、またはベース１１の表面（おもてめん）と定義し、突起２０が存在しない方の面を層、シート１０、またはベース１１の裏面と定義する。
【００１２】
シート１０（層）の寸法はフィルタの寸法に応じて設定される。フィルタの寸法は様々である。本実施形態に係るフィルタは、少なくとも１枚のシート１０を巻くことでロールを得て、そのロールを巻芯と直交する方向に切断することで作製され、ロール状を呈する（詳細は後述する）。したがって、シート１０の長さおよび幅は様々な値を取り得る。例えば、シート１０の長さおよび幅は数センチから数十メートルまでの様々な範囲の値を取り得る。一方、シート１０の厚さは、例えば除塵効果（集塵効果）と気体の流路の確保との双方を考慮して設定されるが、この厚さも何ら限定されない。ここで、シート１０の厚さとは、ベース１１の裏面から突起２０の最高地点までの距離である。一例として、シート１０の厚さの下限は０．１ｍｍ、０．１５ｍｍ、０．２ｍｍ、０．２５ｍｍ、または０．３ｍｍでもよく、その上限は３．０ｍｍ、２．５ｍｍ、２．０ｍｍ、１．５ｍｍ、または１．０ｍｍでもよい。
【００１３】
図２（ａ）に示すように、本実施形態の突起２０は、ベース１１の表面から延びる茎部２１を少なくとも備える。図２（ｂ）に示すように、突起２０はその茎部２１の先端に形成された傘部２２を備えてもよく、この場合には突起２０は全体として茸状を呈する。もっとも、突起２０の形状は図２の例に限定されず、後述するように様々な形状が考えられる。突起２０の上面（すなわち、茎部２１または傘部２２の上面）は平坦でもよいし波状（すなわちギザギザ）であってもよい。
【００１４】
ベース１１および突起２０の寸法は限定されない。例えば、ベース１１の厚さ、突起２０の高さ、茎部２１の高さ、茎部２１の底の最大幅、茎部２１の先端の幅、傘部２２の最大幅、および、茎部２１からの傘部２２の張出し量はすべて任意に設定してよい。例えば、ベース１１の厚さの下限は０．１ｍｍでもよく、その上限は０．３ｍｍでもよい。突起２０の高さの下限は０．２ｍｍでも０．３ｍｍでもよく、その上限は０．５ｍｍでも０．７ｍｍでもよい。また、ベース１１における突起２０の密度も何ら限定されない。例えば、突起２０の密度の下限は１３９本／ｃｍ２でもよく、その上限は７６０本／ｃｍ２でもよい。突起の間隔（突起の根元部の中心間の距離）の下限は０．３６ｍｍでもよく、その上限は０．８５ｍｍでも０．８０ｍｍでもよい。
【００１５】
シート１０の材料は熱可塑性樹脂であり、例えば、ポリプロピレン樹脂（ＰＰ）、ポリエチレン樹脂（ＰＥ）、塩化ビニル樹脂（ＰＶＣ）、エチル・メチル・メタクリレート樹脂（ＥＭＭＡ）、エチル・アクリレート樹脂（ＥＡ）、およびエチレン−酢酸ビニルコポリマー（ＥＶＡ）樹脂、またはこれら２種以上の混合物（例えば、ポリプロピレン樹脂（ＰＰ）とポリエチレン樹脂（ＰＥ）との混合物、ポリプロピレン樹脂（ＰＰ）とエチル・メチル・メタクリレート樹脂（ＥＭＭＡ）との混合物、ポリプロピレン樹脂（ＰＰ）とエチル・アクリレート樹脂（ＥＡ）との混合物、ポリプロピレン樹脂（ＰＰ）とエチレン−酢酸ビニルコポリマー（ＥＶＡ）樹脂との混合物、ポリエチレン樹脂（ＰＥ）とエチル・メチル・メタクリレート樹脂（ＥＭＭＡ）との混合物、ポリエチレン樹脂（ＰＥ）とエチル・アクリレート樹脂（ＥＡ）との混合物、ポリエチレン樹脂（ＰＥ）とエチレン−酢酸ビニルコポリマー（ＥＶＡ）樹脂との混合物）等が挙げられる。なお、ＰＥの例としては、低密度ポリエチレン（ＬＤＰＥ）、高密度ポリエチレン（ＨＤＰＥ）、直鎖状低密度ポリエチレン（ＬＬＤＰＥ）などが挙げられる。突起２０の形状に応じた硬さを有する樹脂、混合比等を選択することができる。また、必要に応じて、これらの樹脂には、添加剤等を添加することができる。
【００１６】
本実施形態では、シート１０の製造方法に関して二つの例を示す。
【００１７】
一つは、特表２００５−５１４９７６号公報に記載の手法である。この手法ではまず、電子放電機械加工により切断された開口を有する押出しダイ（ｄｉｅ）から熱可塑性樹脂を押し出すことで、突起の断面形状を有する複数のレール状のリブ（ｒｉｂ）がベースシート上に並んだストリップ（ｓｔｒｉｐ）を形成する。続いて、水などの冷却液体を充填した冷却タンク内でそのストリップをローラで引っ張る。続いて、リブの長手方向に沿って互いに離間した複数の位置で、各リブに幅方向の切り込みを入れることで、それぞれのリブについて、突起の厚さに対応する複数の部分を形成する。リブを切断した後、ストリップのベースシートを所定の伸張比で伸ばす。具体的には、互いに異なる表面速度で駆動されるニップローラの第１の対とニップローラの第２の対と間でリブの長手方向に沿ってベースシートを伸張する。この工程では、上流に位置する第１の対のニップローラの一つを加熱することでベースシートを加熱する一方で、下流に位置する第２の対のニップローラの一つを冷却してベースシートを安定化させてもよい。この伸張によって、リブの複数の部分間に空間が生じ、その部分が突起２０となる。
【００１８】
もう一つの例は、特表２００８−５３２６９９号公報に記載の手法である。この手法ではまず、多数の貫通孔を有する型板または押し出し機を用いた押出成形により、複数の突起の原形をなす複数の柱状体が表面に並んだ帯状基材を形成する。なお、各柱状体の先端部を加熱しながらカレンダーロールでその先端部を潰すことで、傘部を有する突起を形成できる。この工程により一つのシート１０が得られる。
【００１９】
シート１０にはエレクトレット処理が施され、これにより各層は帯電層として機能する。エレクトレット処理とは、コロナ放電、加熱および冷却、帯電粒子噴霧などによってシート１０を帯電させる処理である。シート１０を帯電させることにより、各層の除塵あるいは濾過の効果を高めることができる。
【００２０】
突起２０の様々な形状を以下に説明する。突起２０の形状の特徴は、突起２０を側面から見た際に見出すことができる。本実施形態では、図３に示すように、ベース１１と直交する仮想面Ｖに突起２０を投影して得られる投影像Ｐの外縁を用いて、突起２０の形状の特徴を示す。仮想面Ｖは気体が流れる方向と交差するように設定され、これは、仮想面Ｖが、気体の流れを遮るような態様で設定されることを意味する。図４は、様々な突起２０の投影像であるが、これらの図では、説明を分かり易くするために、突起に付した符号と同じものを投影像に付すこととする。
【００２１】
投影像Ｐと同視できる図２の例について説明する。図２（ａ）の側面図に示す例では、茎部２１の側面は屈曲も湾曲もしておらず、一直線である。図２（ｂ）の側面図に示す例は、茎部２１の先端に傘部２２が設けられたこと以外は図２（ａ）と同じである。
【００２２】
図４に示すパターン１では、茎部２１は、先端に向かって窄むテーパ状を呈し、茎部２１の側面に対応する外縁（以下では単に「外縁」という）は、その全体が、投影像の内部に向かって凸であるように湾曲している。
【００２３】
パターン２では、茎部２１は、その延び方向における中央部が窄むような形状を呈し、外縁は、その全体が投影像の内部に向かって凸であるように湾曲している。
【００２４】
パターン３では、茎部２１は、延び方向における中央部が窄むような形状を呈する。外縁は直線で形成されており、かつ投影像の内部に向かって凸であるように屈曲している。
【００２５】
パターン４では、茎部２１の根元側は直柱状であり、茎部２１の残りの部分は先端に向かって窄むテーパ状を呈する。外縁の根元側は直線であり、その先端側は、投影像の外部に向かって凸であるように湾曲している。
【００２６】
パターン５，６は、茎部２１の投影像が線対称でない例である。パターン５では、茎部２１は、先端に向かって窄むテーパ状を呈する。二つの外縁はいずれも、屈曲も湾曲もしておらず一直線であるが、一方の外縁は傾斜し、他方の外縁は直立している。
【００２７】
パターン６では、茎部２１は、先端に向かって窄むテーパ状を呈する。一方の外縁は、その全体が投影像の内部に向かって凸であるように湾曲しており、他方の外縁は、その全体が投影像の外側に向かって凸であるように湾曲している。
【００２８】
ベース１１とほぼ並行する突起２０の上面（茎部２１の上面または傘部２２の上面）の形状は任意に定めてよい。例えば、その上面の形状は円であってもよいし、楕円であってもよいし、矩形であってもよいし、星形であってもよい。あるいは、その上面の形状は三角形や六角形などの任意の多角形であってもよいし、より複雑な形状であってもよい。
【００２９】
ベース１１上での複数の突起２０の具体的な配置態様は限定されない。例えば、突起２０は格子状に配置されてもよいし、千鳥状に配置されてもよいし、ランダムに配置されてもよい。突起２０はベース１１上に均等に配置されてもよいし、不均等に配置されてもよい。例えば、ベース１１において、突起２０が存在する突起領域と突起２０が存在しない平坦領域とが混在してもよい。あるいは、１枚のベース１１において、突起２０が密集した領域（密な領域）と突起２０がまばらな領域（疎な領域）とが混在してもよい。突起２０の配置態様はこれらに限定されず、気体の流路を形成できるのであればどのようなパターンでもよい。また、一つのベース１１上に異なる形状（パターン）の突起が設けられてもよい。
【００３０】
ベース１１にはスリットまたは開口が形成されてもよい。本明細書における用語「スリット」とは、スリット状の溝またはスリット状の貫通部を含む概念である。本明細書における用語「溝」は、ベース１１における一方の面に設けられた切込みが他方の面に貫通しない状態を示す。この溝は、ベース１１の表面に形成されてもよいし裏面に形成されてもよい。本明細書における用語「貫通部」は、ベース１１に設けられた孔または開口が一方の面から他方の面まで貫通した状態を示す。本明細書では、スリット状の溝およびスリット状の貫通部をまとめて、単に「スリット」ともいう。本実施形態では直線状のスリットを示すが、スリットの形は任意であり、例えば、波型、山形、凹凸型などのスリットをベース１１に形成してもよい。
【００３１】
スリットは、従来から用いられている任意の手法（例えば、刃やレーザ切断など）により形成することができる。一方、開口は、例えば、スリット状の貫通部が形成されたベース１１をスリット列と直交する方向に広げることで形成することができる。ベース１１を広げる手段としては、幅出し機（ｔｅｎｔｅｒ）やローラなどの機械や、手作業などが挙げられる。あるいは、開口は、ベース１１を広げることなく、そのベース１１を所望の形にくり抜くことで形成してもよい。
【００３２】
スリットの配置は任意である。例えば、ベース１１の一辺付近からその対辺付近にかけて途切れることなく延びるスリットが所定の間隔で並んでもよい。あるいは、スリットは千鳥状に配置されてもよいし、格子状に配置されてもよい。また、ベース１１全体においてスリットの密集度が一定である必要はなく、一つのベース１１においてスリットがまばらな部分とスリットが密な部分とが存在してもよい。
【００３３】
個々のスリットの長さは限定されない。また、一つのベース１１おいて個々のスリットの長さが統一されてもよいし、異なる長さのスリットが混在してもよい。スリットの延び方向における、隣接する二つのスリットの間隔も限定されず、当該延び方向と直交する方向における、隣接する二つのスリットの間隔も限定されない。また、一つのベース１１においてこれらの間隔が統一されてもよいし統一されなくてもよい。
【００３４】
スリットは、ベース１１の一辺と平行になるように延びてもよいし、ベース１１の辺に対して任意の角度θ（０°＜θ＜９０°）で傾斜するように形成されてもよい。
【００３５】
開口の配置も任意である。例えば、ベース１１の一辺付近からその対辺付近にかけて途切れることなく延びる開口が所定の間隔で並んでもよい。開口は千鳥状に配置されてもよいし、格子状に配置されてもよい。一つのベース１１において開口がまばらな部分と開口が密集する部分とが混在してもよい。隣接する二つの開口の間隔も限定されないし、その間隔は統一されていても統一されていなくてもよい。また、開口はベース１１の辺に対して斜めに形成されてもよい。このように、開口の配置については、スリットの場合と同様に様々な変形が考えられる。
【００３６】
開口の形状は限定されず、例えば矩形、菱形、円形、楕円形、矩形、星形、波形、あるいは他の多角形であってもよい。また、一つのベース１１において複数の形状の開口が混在してもよい。
【００３７】
スリットと開口とが混在してもよい。当然ながら、個々のスリットおよび開口の配置は任意に定めてよい。
【００３８】
本実施形態に係るフィルタ１００を図５に示す。フィルタ１００は帯電フィルタである。このフィルタ１００は、円筒状のコア（すなわち、貫通孔が形成されたコア）１０１に少なくとも１枚の帯状のシート１０を何重にも巻き付けることで得られる。あるいは、このフィルタ１００は、コア１０１に少なくとも１枚のシート１０を巻き付けて得られたロールを、コア１０１の延び方向と直交する方向に切断することで得られる。あるいは、少なくとも１枚のシート１０をらせん状に巻くことで得たロールを、複数の層を備えるフィルタ１００として用いてもよい。あるいは、特性（例えば、突起の形状または配列）の異なる複数のシートを巻き付けることでフィルタ１００を得てもよい。フィルタ１００は、気体が流れる多数の流路９０を有する（図５中の拡大部分を参照）。シート１０が巻かれた部分（多数の流路９０が存在する部分）は、集塵機能を有するフィルタ層１０２である。
【００３９】
ベース１１にスリットまたは開口が形成されている場合には、シート１０自体の剛性が小さくなってシート１０がより柔軟に変形するようになるので、シート１０を小さく巻く作業が容易になり、隣接する二つの層がより確実に密着したフィルタ１００を作製することができる。シート１０に形成するスリットまたは開口の寸法または形状を調整することで、フィルタの属性（作製方法や適用場面など）に応じて、シート１０の柔軟性を適宜変更することができる。
【００４０】
フィルタ１００の径は、給気口の流路の径に適合するように設定される。本実施形態では、フィルタ１００の径は、後述する流路の径と同じでもよい。すなわち、フィルタ１００の外周面が給気口の本体の内壁に接してもよい。あるいは、フィルタ１００の径は当該流路の径よりわずかに小さくてもよく、例えば、流路の径の９０〜９９％または９５〜９９％であってもよい。すなわち、フィルタの外周面と給気口の本体の内壁との間に空間が形成されてもよい。
【００４１】
フィルタ１００の厚さは給気口に求められる捕集力および圧力損失のバランスを考慮して設定される。なお、フィルタ１００の厚さとは、コア１０１の延び方向、すなわち流路に沿ったフィルタ１００の長さである。上記のシート１０を巻くことで得られるフィルタ１００を建物の給気口に設ける際には、フィルタの厚さを例えば３〜１５ｍｍとすることで、捕集力および圧力損失の良好なバランスを取ることができる。例えば、フィルタの厚さの下限は３ｍｍでも５ｍｍでもよく、その上限は１５ｍｍでも１０ｍｍでもよい。
【００４２】
ロールおよびフィルタ１００を固定する方法は限定されない。例えば、粘着剤または接着剤を突起２０の上面に塗布した後にシート１０を巻いてもよい。あるいは、粘着剤および接着剤を用いることなく、収縮性を有するフィルム（収縮フィルム）のみを用いてもよい。具体的には、フィルタ１００（またはロール）の外周面を収縮フィルムで覆うことでフィルタ１００（またはロール）を固定する。例えば、収縮フィルムとして熱収縮チューブを採用した場合には、その熱収縮チューブをフィルタ１００（またはロール）の外周面に配した後にそのチューブを加熱することで、当該チューブが縮んでフィルタ１００（またはロール）を外側から押さえ込む。熱収縮チューブの材料の例として、ポリエチレンテレフタラート（ＰＥＴ）および二軸延伸ポリスチレン（ＢＯＰＳ）が挙げられる。あるいは、収縮フィルムに張力をかけながらフィルタ１００（またはロール）を当該収縮フィルムで巻くことでフィルタ１００（またはロール）を外側から押さえ込んでもよい。収縮フィルムのみによりフィルタ１００を固定することで、フィルタ１００の各層の帯電状態を良好に保ち続けることができる。
【００４３】
フィルタの流入口または排出口に向かって該フィルタを見た時に、突起２０は積層方向に沿って整列してもよいし、千鳥状に配列されてもよいし、ランダムに配置されてもよい。
【００４４】
フィルタは、互いに異なる複数種類の層を備えてもよい。例えば、フィルタは、シート１０により形成される層（基本層）以外の層（付加機能層）を備えてもよい。例えば、付加機能層は、有機成分の除去または脱臭を行う活性炭でもよいし、ゼオライトあるいはアルミノケイ酸塩などの吸収剤でもよいし、銅−アスコルビン酸などの脱臭触媒でもよい。あるいは、付加機能層は、シリカゲル、ゼオライト、塩化カルシウムあるいは活性アルミナなどの乾燥剤でもよいし、ＵＶ殺菌系などの消毒剤でもよいし、グロキサル、メタクリル酸エステルあるいは香料などの芳香剤でもよい。あるいは、付加機能層は、Ｍｇ、Ａｇ、Ｆｅ、Ｃｏ、Ｎｉ、Ｐｔ、ＰｄあるいはＲｎ、またはアルミナ、シリカアルミナ、ジルコニア、珪藻土、シリカジルコニウムあるいはチタニアなどの担体上に支持された酸化物などの金属を含むオゾン除去剤でもよい。一つのフィルタが複数種類の付加機能層を備えてもよい。
【００４５】
次に、図６〜１１を用いて、フィルタ１００が取り付けられる給気口２００の構造を説明する。図６は給気口２００の斜視図であり、図７は図６のＶＩＩ−ＶＩＩ線断面図であり、図８は給気口２００の分解斜視図であり、図９は図８のＩＸ−ＩＸ線断面図である。図１０は図９のＸ−Ｘ線断面図である。図１１は図７のＸＩ−ＸＩ線断面図である。
【００４６】
給気口２００は、建物の外部から室内に空気を供給するための物品であり、一般的には壁面あるいは天井に設置される。給気口２００は、壁内または天井内に取り付けられる円筒状の本体２１０と、この本体２１０内でフィルタ１００を支持するための支持体２２０と、室内側において給気口２００の流路を開閉するための蓋として機能する板状のパネル２３０とを備える。フィルタ１００も給気口２００の一構成要素になり得る。
【００４７】
本体２１０の円筒状の部分は、空気が流れる流路２１１を形成する。流路２１１の径、すなわち本体２１０の内壁２１２の径は通常１０〜２０ｃｍに設定されるが、流路の径はこの範囲に限定されない。本体２１０の一端（内側端部）には、本体２１０を壁面または天井面に固定するための矩形状のフランジ２１３が形成され、本体２１０は、このフランジ２１３が存在する端部が室内側に位置するように壁または天井に固定される。本体の外側端部の中心には、後述する支持体２２０の軸部２２１を受け入れる受け部２１４が設けられ、この受け部２１４は内壁２１２から中心に向かって延びる複数の上流支持棒２１５により支えられる。この上流支持棒２１５は、流入してくる空気を受けるフィルタ１００の上流面（フィルタ主面）１０３を支持する役割も担う。受け部２１４の外側（室外側）にはテーパ状（弾丸状）のキャップ２１６が取り付けられる。
【００４８】
なお、本明細書では、給気口２００について説明する際に必要に応じて「内側」「外側」という用語を用いる。用語「内側」は、給気口２００が建物に取り付けられた場面での室内側を意味し、用語「外側」は、当該場面での屋外側を意味する。
【００４９】
支持体２２０は、流路２１１の中央付近を通るように取り付けられる軸部２２１と、この軸部２２１に該軸部２２１と直交するように設けられる円形の支持枠２２２と、軸部２２１に取り付けられたフィルタ１００のコア１０１と接することになる複数の小さな突起部２２５とを備える。支持枠２２２は、内壁２１２の径よりも小さな径を有する円形の外枠２２３と、軸部２２１からその外枠２２３に向かって放射状に延びる複数の下流支持棒２２４とを備える。下流支持棒２２４は、フィルタ主面（上流面）１０３と反対側の面であるフィルタの下流面を支持する。この下流面は、フィルタ１００内を通過してきた空気、すなわち、濾過された空気が流れ出る面である。
【００５０】
フィルタ主面１０３と向き合う上流支持棒２１５の側は該フィルタ主面１０３に当たるので、フィルタ主面１０３のうちその上流支持棒２１５に接触する部分は、流入してくる空気を受けないことになる。フィルタ主面１０３のなるべく広い範囲が空気を受けることができるように、上流支持棒２１５は、フィルタ主面１０３に向かって窄むテーパ状の部分を含む。
【００５１】
このようなテーパ状の上流支持棒２１５の例を、上流支持棒２１５の断面形状を示す図１０を参照しながら説明する。図１０の各パターンにおいて、矢印Ｒはフィルタ主面１０３が存在する方向を示し、距離ｗは流路２１１の延び方向（以下ではこれを「支持棒の幅方向」ともいう）における断面形状の最大長さを示し、距離ｈは流路２１１の径方向または周方向（以下ではこれを「支持棒の高さ方向」ともいう）における断面形状の最大長さである。距離（最大幅）ｗは距離（最大高さ）ｈよりも大きい。
【００５２】
図１０に示すパターンＡでは、断面形状は、最大高さｈを有する幅方向の中央部から両端部にかけて窄むテーパ状を呈する。テーパ部分を形成する外縁は、断面形状の内側に向かって凸であるように湾曲している。パターンＢでは、断面形状はレンズ形である。テーパ部分を形成する外縁は、断面形状の外側に向かって凸であるように湾曲している。パターンＣでは断面形状は菱形である。パターンＤはパターンＡの変形であり、幅方向における端部が高さ方向に沿って一定の厚みを有する形状を示す。このパターンＤに示すように、幅方向における端部が尖る必要はない。
【００５３】
パターンＡ〜Ｄではいずれも断面形状が線対称であるが、断面形状は線対称でなくてもよい。線対称でない断面形状の例をパターンＥ〜Ｈとして示す。これらの４パターンではいずれも、断面形状は、フィルタ主面１０３が存在する方向Ｒに向かって窄むテーパ状を呈する。パターンＥでは、断面形状は略二等辺三角形であるともいうことができ、上流支持棒２１５の幅方向に沿って延びる二つの外縁は、パターンＡと同様に、断面形状の内側に向かって凸であるように湾曲している。パターンＦでは、断面形状は弾丸状であるとも言うことができ、上流支持棒２１５の幅方向に沿って延びる二つの外縁は、パターンＢと同様に、断面形状の外側に向かって凸であるように湾曲している。パターンＧでは、断面形状は略直角三角形であり、フィルタ主面１０３と向き合う端部は尖っておらず、高さ方向に沿って一定の厚みを有する。パターンＨでは、断面形状は略二等辺三角形であり、パターンＧと同様に、フィルタ主面１０３と向き合う端部は尖っていない。
【００５４】
上流支持棒２１５の断面形状はこれらに限定されるものではなく、フィルタ主面１０３に向かって窄むテーパ状の部分を含みかつ最大幅ｗが最大高さｈよりも大きい限り、任意の形状であり得る。例えば、断面形状は楕円でもよいし平行四辺形でもよい。
【００５５】
パネル２３０は、支持体２２０の内側端部に着脱可能に取り付けられる。パネル２３０が押される度に、本体２１０に対する支持体２２０の長さが流路２１１の延び方向に沿って変化し、流路２１１が開いたり閉まったりする。流路２１１の開状態は、「閉塞→半開→全開→閉塞→…」などのように段階的に変化してもよい。
【００５６】
使用者は支持体２２０を本体２１０から外す。この際に使用者はパネル２３０を支持体２２０から外してもよい。そして、使用者は支持体２２０の外側端部からフィルタ１００のコア１０１を軸部２２１に通し、フィルタ１００を支持枠２２２まで動かすことで、フィルタ１００を支持体２２０に取り付ける。このとき、コア１０１の内側に突起部２２５が位置することになるので、フィルタ１００が支持体２２０に対してきつく固定され、軸部２２１の延び方向におけるフィルタ１００のずれが防止される。そして、使用者は支持体２２０を本体２１０に取り付け、パネル２３０を支持体２２０から外していた場合にはさらにパネル２３０を支持体２２０に取り付ける。このとき、フィルタ１００のフィルタ主面１０３は上流支持棒２１５に接し、フィルタ１００の下流面は下流支持棒２２４に接する。すなわち、フィルタ１００は上流支持棒２１５と下流支持棒２２４とにより挟まれたかたちで固定される。フィルタ１００の交換の際には、使用者は支持体２２０を本体２１０から外してフィルタ１００を支持体２２０から抜いた後に、上記と同様の手順で新しいフィルタ１００を給気口２００に取り付ければよい。
【００５７】
フィルタ１００は、フィルタ層１０２の外周部に固定手段を設けることなく、コア１０１が軸部２２１に嵌められることで本体２１０内で固定される。したがって、フィルタ層１０２を給気口２００に取り付けた際には、流入してくる空気を実際に受けるフィルタ主面１０３の流路面積を従来よりも増大させることができる。
【００５８】
従来のようにフィルタの外周部を本体に対して固定させようとすると、図１１に示す領域Ｇ内に何らかの固定手段（例えば、フィルタと本体とを係合させるための爪および爪受けなど）が配されるので、当該領域Ｇにおいてフィルタ層１０２の一部が隠れてしまう。そのため、給気口２００の流路に対して固定手段の寸法の分だけ外径が小さなフィルタを用いることになり、その分、フィルタ主面１０３の流路面積が減少してしまう。しかし、本実施形態では、領域Ｇにはフィルタ層１０２を隠すような他の構成要素が存在しないので、フィルタ層１０２の外周部は何にも遮られず、したがって、フィルタ層１０２の他の部分と同様に集塵機能を発揮する。
【００５９】
以上説明したように、本発明の一側面に係る給気口は、建物の外部から室内に空気を供給する給気口であって、空気の流路を形成する本体と、フィルタを本体内で固定するための軸部とを備え、フィルタが、貫通口が形成されたコアと、複数の突起を有するシートが該コアに巻かれることで形成されたフィルタ層とを有し、フィルタ層の外周部に固定手段を設けることなく、コアを軸部に嵌めることで、フィルタが本体内で固定される。
【００６０】
このような側面においては、フィルタのコアを軸部に嵌めることでフィルタが本体内で固定され、この際に、フィルタの外周部には固定手段が設けられない。このように、フィルタの形成のために必要なコアを給気口の本体への固定手段としても用いることで、フィルタの外周部に対する制約がなくなり、流入してくる空気を実際に受けるフィルタ主面の面積を稼ぐことができる。その結果、給気口のフィルタの捕集力をより高めることが可能になる。
【００６１】
他の側面に係る給気口では、フィルタの外周面が本体の内壁に接してもよい。
【００６２】
この場合にはフィルタ層と本体の内壁との間に隙間が生じないので、空気中の粒子をフィルタで確実に捕らえることができる。
【００６３】
他の側面に係る給気口では、フィルタの外周面と本体の内壁との間に空間が形成されてもよい。
【００６４】
この場合には、フィルタの外周面の外側に生じた隙間を空気が円滑に流れるので、フィルタの圧力損失を下げつつ空気中の粒子をフィルタで捕らえることができる。
【００６５】
他の側面に係る給気口では、軸部の延長線上に、かつフィルタよりも建物の外側に設けられるキャップをさらに備え、キャップが、建物の外側に向けて窄むテーパ状（例えば、弾丸形状や流線形状など）を呈してもよい。
【００６６】
このようなキャップが設けられることで、流入口付近における乱流が抑えられ、給気口に流入する空気が流路の径方向に沿って円滑に広がるので、フィルタの主面の広い範囲でその空気を受けることができる。このようなキャップを設けない場合には、空気が主に流路の中心付近を流れるので、図１２（ａ）に示すようにフィルタ１００の中心付近でのみ粒子が捕集されてフィルタ１００の外周部が有効に機能しない傾向がある。しかし、キャップを設けることで内壁に近い部分でも空気が流れるので、図１２（ｂ）に示すように、フィルタ１００の広い範囲（例えばフィルタ１００のほぼ全域）で粒子を捕集することができる。
【００６７】
他の側面に係る給気口では、軸部上に、フィルタのずれを防止するための突起部が設けられてもよい。
【００６８】
突起部を設けることで、フィルタが軸部に沿って自然に（例えば風圧により）動くことをより確実に防止することができる。
【００６９】
以上、本発明をその実施形態に基づいて詳細に説明した。しかし、本発明は上記実施形態に限定されるものではない。本発明は、その要旨を逸脱しない範囲で様々な変形が可能である。
【００７０】
上記実施形態では、上流支持棒２１５の延び方向において断面形状は一様であったが、上流支持棒２１５は、フィルタ主面１０３との間に空間を形成する少なくとも一つの切欠き部を備えてもよい。図１３は、個々の上流支持棒２１５Ａが複数の切欠き部２１７を有する例を示し、この場合には、上流支持棒２１５Ａは櫛歯状を呈するともいうことができる。切欠き部２１７を形成する面はフィルタ主面１０３に接しないので、切欠き部２１７における断面形状は、フィルタ主面１０３に向かって窄むテーパ状でなくてもよい。上流支持棒２１５Ａを含む本体２１０Ａの他の部分の構成は、上記実施形態における本体２１０と同じである。
【００７１】
上記実施形態では、上流支持棒２１５の任意の断面形状が、フィルタ主面１０３に向かって窄むテーパ状であったが、延び方向に沿った支持棒の一部のみがそのようなテーパ状であってもよい。また、複数の支持棒のうち一部の支持棒のみがそのようなテーパ状の部分を有してもよい。
【００７２】
上記実施形態では、給気口２００が下記の二つの要素Ａ，Ｂを有していたが、給気口２００はこれらの２要素のうちのどちらか一方のみを有してもよい。
Ａ．フィルタ層１０２の外周部に固定手段を設けることなく、コア１０１を軸部２２１に嵌めることでフィルタ１００を本体２１０内に固定すること。
Ｂ．上流支持棒２１５の少なくとも一部が、フィルタ主面１０３に向かって窄むテーパ状を呈し、上流支持棒２１５の断面形状において、流路２１１の延び方向における該断面形状の最大長さが、流路２１１の径方向または周方向における該断面形状の最大長さよりも大きいこと。
【００７３】
給気口２００が要素Ａを有する場合には、フィルタのコアを軸部に嵌めることでフィルタが本体内で固定され、この際に、フィルタの外周部には固定手段が設けられない。このように、フィルタの形成のために必要なコアを給気口の本体への固定手段としても用いることで、フィルタの外周部に対する制約がなくなり、流入してくる空気を実際に受けるフィルタ主面の面積を稼ぐことができる。その結果、給気口のフィルタの捕集力をより高めることが可能になる。
【００７４】
給気口２００が要素Ｂを有する場合には、建物の外側からフィルタを支持する支持棒の少なくとも一部が、フィルタの主面に向かって窄むテーパ状を呈するので、このようなテーパ形状を有さない従来の支持棒を用いる場合と比較して、フィルタ主面のうち支持棒で遮られない部分の面積を増やすことができる。加えて、この支持棒の断面形状は全体として、流路の延び方向に沿って長く設定され、これは、流路の径方向または周方向に沿った支持棒の寸法を抑制することを意味する。これらの要因により、流入してくる空気を実際に受けるフィルタ主面の面積が増えるので、給気口のフィルタの捕集力をより高めることができる。
【００７５】
上記のフィルタ１００は、少なくとも１枚のシート１０を巻くことで形成される複数の層を有する。このようなフィルタ１００の構造上、空気はフィルタ主面１０３とほぼ直交する角度から流入し、フィルタ主面１０３に対して斜めの角度からは流入しない。したがって、上流支持棒２１５にテーパ状の部分を設けるだけでなく、上流支持棒２１５の高さをその幅よりも小さく抑えることで、空気の流入方向に対して面するフィルタ主面１０３の面積を稼ぐことができる。
【００７６】
上記実施形態では給気口２００がキャップ２１６を備えたが、このキャップ２１６は省略可能である。
【００７７】
上記実施形態ではフィルタ１００は帯電フィルタであったが、本発明に係る給気口は、エレクトレット処理が施されていないフィルタと共に用いられてもよい。
【符号の説明】
【００７８】
１０…シート、１１…ベース、２０…突起、２１…茎部、２２…傘部、１００…フィルタ、１０１…コア、１０２…フィルタ層、１０３…フィルタ主面、２００…給気口、２１０，２１０Ａ…本体、２１１…流路、２１２…内壁、２１５…上流支持棒、２１６…キャップ、２１７…切欠き部、２２０…支持体、２２１…軸部、２２４…下流支持棒、２３０…パネル。
【図１】
2016070610.tif 000003
【図２】
2016070610.tif 000004
【図３】
2016070610.tif 000005
【図４】
2016070610.tif 000006
【図５】
2016070610.tif 000007
【図６】
2016070610.tif 000008
【図７】
2016070610.tif 000009
【図８】
2016070610.tif 000010
【図９】
2016070610.tif 000011
【図１０】
2016070610.tif 000012
【図１１】
2016070610.tif 000013
【図１２】
2016070610.tif 000014
【図１３】
2016070610.tif 000015